【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
放射線の照射により被写体を通過した放射線画像を撮像する放射線撮像装置と、放射線発生装置と前記放射線撮像装置の間の通信を制御する通信制御装置と、を有する放射線撮像システムであって、
前記放射線撮像装置は、
前記通信制御装置と通信を行う通信手段と、
撮影期間中、放射線画像の送信に優先して、放射線照射に係る照射情報の送信を行うよう制御する通信制御手段と
を有し、
前記通信制御装置は、
前記照射情報に基づいて、前記放射線画像の撮像を制御する制御手段を有し、
前記通信制御手段は、前記撮影期間中、前記放射線画像を送信していた場合には、前記放射線画像の送信を中断し、前記撮影期間の終了後に、前記中断された前記放射線画像を送信するよう制御することを特徴とする放射線撮像システム。
【請求項２】
前記通信制御手段は、前記撮影期間中、前記放射線画像の送信を禁止し、前記照射情報を送信するよう制御することを特徴とする請求項１に記載の放射線撮像システム。
【請求項３】
放射線の照射により被写体を通過した放射線画像を撮像する放射線撮像装置と、放射線発生装置と前記放射線撮像装置の間の通信を制御する通信制御装置と、を有する放射線撮像システムであって、
前記放射線撮像装置は、
前記通信制御装置と通信を行う通信手段と、
撮影期間中、放射線画像の送信に優先して、放射線照射に係る照射情報の送信を行うよう制御する通信制御手段と
を有し、
前記通信制御装置は、
前記照射情報に基づいて、前記放射線画像の撮像を制御する制御手段を有し、
前記通信制御手段は、前記撮影期間中であっても、前記照射情報が送信されない期間においては、前記放射線画像の送信を許可するよう制御することを特徴とする放射線撮像システム。
【請求項４】
前記通信制御手段は、前記撮影期間の終了後に、前記撮影期間中に撮影された放射線画像を送信するよう制御することを特徴とする請求項１乃至３何れか１項に記載の放射線撮像システム。
【請求項５】
前記照射情報は、放射線発生装置の自動露出の制御情報であることを特徴とする請求項１乃至４何れか１項に記載の放射線撮像システム。
【請求項６】
前記照射情報は、前記放射線撮像装置に到達した放射線の到達線量情報であることを特徴とする請求項１乃至５何れか１項に記載の放射線撮像システム。
【請求項７】
前記撮影期間は、放射線撮影に係る電荷の蓄積期間を含むことを特徴とする請求項１乃至６何れか１項に記載の放射線撮像システム。
【請求項８】
前記撮影期間は、放射線の検出期間を含むことを特徴とする請求項１乃至７何れか１項に記載の放射線撮像システム。
【請求項９】
放射線の照射により被写体を通過した放射線画像を撮像する放射線撮像装置であって、
放射線発生装置と前記放射線撮像装置の間の通信を制御する通信制御装置と通信を行う通信手段と、
撮影期間中、放射線画像の送信に優先して、放射線照射に係る照射情報の送信を行うよう制御する通信制御手段と
を有し、
前記通信制御手段は、前記撮影期間中、前記放射線画像を送信していた場合には、前記放射線画像の送信を中断し、前記撮影期間の終了後に、前記中断された前記放射線画像を送信するよう制御することを特徴とする放射線撮像装置。
【請求項１０】
放射線の照射により被写体を通過した放射線画像を撮像する放射線撮像装置であって、
放射線発生装置と前記放射線撮像装置の間の通信を制御する通信制御装置と通信を行う通信手段と、
撮影期間中、放射線画像の送信に優先して、放射線照射に係る照射情報の送信を行うよう制御する通信制御手段と
を有し、
前記通信制御手段は、前記撮影期間中であっても、前記照射情報が送信されない期間においては、前記放射線画像の送信を許可するよう制御することを特徴とする放射線撮像装置。
【請求項１１】
放射線の照射により被写体を通過した放射線画像を撮像する放射線撮像装置と、放射線発生装置と前記放射線撮像装置の間の通信を制御する通信制御装置と、を有する放射線撮像システムが実行する通信制御方法であって、
前記放射線撮像装置が、前記通信制御装置と通信を行う通信ステップと、
前記放射線撮像装置が、撮影期間中、放射線画像の送信に優先して、放射線照射に係る照射情報の送信を行うよう制御する通信制御ステップと、
前記通信制御装置が、前記照射情報に基づいて、前記放射線画像の撮像を制御する制御ステップと
を含み、
前記通信制御ステップは、前記放射線撮像装置が、前記撮影期間中に前記放射線画像を送信していた場合には、前記放射線画像の送信を中断し、前記撮影期間の終了後に前記中断された前記放射線画像を送信するよう制御することを特徴とする通信制御方法。
【請求項１２】
放射線の照射により被写体を通過した放射線画像を撮像する放射線撮像装置と、放射線発生装置と前記放射線撮像装置の間の通信を制御する通信制御装置と、を有する放射線撮像システムが実行する通信制御方法であって、
前記放射線撮像装置が、前記通信制御装置と通信を行う通信ステップと、
前記放射線撮像装置が、撮影期間中、放射線画像の送信に優先して、放射線照射に係る照射情報の送信を行うよう制御する通信制御ステップと、
前記通信制御装置が、前記照射情報に基づいて、前記放射線画像の撮像を制御する制御ステップと
を含み、
前記通信制御ステップは、前記放射線撮像装置が前記撮影期間中であっても、前記照射情報が送信されない期間においては、前記放射線画像の送信を許可するよう制御することを特徴とする通信制御方法。
【請求項１３】
放射線の照射により被写体を通過した放射線画像を撮像する放射線撮像装置のコンピュータを、
放射線発生装置と前記放射線撮像装置の間の通信を制御する通信制御装置と通信を行う通信手段と、
撮影期間中においては、放射線画像の送信に優先して、放射線照射に係る照射情報の送信を行うよう制御する通信制御手段と
して機能させるためのプログラムであって、
前記通信制御手段は、前記撮影期間中、前記放射線画像を送信していた場合には、前記放射線画像の送信を中断し、前記撮影期間の終了後に、前記中断された前記放射線画像を送信するよう制御することを特徴とするプログラム。
【請求項１４】
放射線の照射により被写体を通過した放射線画像を撮像する放射線撮像装置のコンピュータを、
放射線発生装置と前記放射線撮像装置の間の通信を制御する通信制御装置と通信を行う通信手段と、
撮影期間中においては、放射線画像の送信に優先して、放射線照射に係る照射情報の送信を行うよう制御する通信制御手段と
して機能させるためのプログラムであって、
前記通信制御手段は、前記撮影期間中であっても、前記照射情報が送信されない期間においては、前記放射線画像の送信を許可するよう制御することを特徴とするプログラム。
【手続補正２】
【補正対象書類名】明細書
【補正対象項目名】０００７
【補正方法】変更
【補正の内容】
【０００７】
そこで、本発明は、放射線の照射により被写体を通過した放射線画像を撮像する放射線撮像装置と、放射線発生装置と前記放射線撮像装置の間の通信を制御する通信制御装置と、を有する放射線撮像システムであって、前記放射線撮像装置は、前記通信制御装置と通信を行う通信手段と、撮影期間中、放射線画像の送信に優先して、放射線照射に係る照射情報の送信を行うよう制御する通信制御手段とを有し、前記通信制御装置は、前記照射情報に基づいて、前記放射線画像の撮像を制御する制御手段を有し、前記通信制御手段は、前記撮影期間中、前記放射線画像を送信していた場合には、前記放射線画像の送信を中断し、前記撮影期間の終了後に、前記中断された前記放射線画像を送信するよう制御することを特徴とする。